(57)【要約】【課題】  足の足裏を持ち上げつつ歩行を容易にできるように支援することができる歩行補助具を提供することにある。【解決手段】  腰部に巻き付けるベルト状の腰部固定具と、それぞれの端部が上前腸骨棘を挟んだ位置の腰部固定具に固定されると共に、足裏の爪先領域に架け渡される第１の伸縮性紐状部材と、それぞれの端部が坐骨結節を挟んだ位置の上方の腰部固定具に固定されると共に、足裏の踵領域に架け渡される第２の伸縮性紐状部材とを備えることを特徴とする。【選択図】図１
2019141312.tif 000002
【特許請求の範囲】
【請求項１】
歩行を助けるための歩行補助具において、
腰部に巻き付けるベルト状の腰部固定具と、
それぞれの端部が上前腸骨棘を挟んだ位置の該腰部固定具に固定されると共に、足裏の爪先領域に架け渡される第１の伸縮性紐状部材と、
それぞれの端部が坐骨結節を挟んだ位置の上方の該腰部固定具に固定されると共に、該足裏の踵領域に架け渡される第２の伸縮性紐状部材とを備えることを特徴とする歩行補助具。
【請求項２】
前記第１の伸縮性紐状部材と前記第２の伸縮性紐状部材とが、外側関節隙及び内側関節隙の位置で結束されたことを特徴とする請求項１記載の歩行補助具。
【請求項３】
前記第１の伸縮性紐状部材が、膝蓋骨の上方の位置及び脛骨粗面の位置で結束されたことを特徴とする請求項２記載の歩行補助具。
【請求項４】
前記第２の伸縮性紐状部材が、大腿下部の位置で結束されたことを特徴とする請求項３記載の歩行補助具。
【請求項５】
前記第２の伸縮性紐状部材が、下腿上部の位置で結束されたことを特徴とする請求項４記載の歩行補助具。
【請求項６】
前記足裏と、前記第１の伸縮性紐状部材及び前記第２の伸縮性紐状部材との間に、薄板状のソール部材を備えることを特徴とする請求項１〜請求項５のいずれかに記載の歩行補助具。
【請求項７】
前記第１の伸縮性紐状部材及び前記第２の伸縮性紐状部材の抵抗力が、
６００ｍｍの長さの該第１の伸縮性紐状部材及び該第２の伸縮性紐状部材を、２００ｍｍ伸延させた時の該抵抗力で０．８ｋｇ〜２．８ｋｇであることを特徴とする請求項１〜請求項６のいずれかに記載の歩行補助具。
【発明の詳細な説明】
【技術分野】
【０００１】
本発明は、歩行を助けるための歩行補助具に関する。
【背景技術】
【０００２】
従来より、高齢者や障害により歩行が困難な人の歩行を助けるためのものとして、歩行補助具が、各種提案されている。例えば、特許文献１の歩行補助用装着具は、適当な弾性を有する物質又は物体に依るそのゴムを編込みたる布の１端を腰のベルトに固定ひざ関節の屈伸時にひざをカバーして他端を足首の位置に固定、且つひざの上部及び、ふくらはぎの上部位置にひざの後側のくぼみに掛らないようにその移動防止帯を設け、ひざ関節を曲げれば長尺のこの布は、ひざをカバーなしつつ伸展する、従ってこの伸展力が、ひざ関節を伸す時に為る収縮力に依る弾性を適用者のその能動力の減少の補助力に資する緊縮感なき恒常装着に依り脚力の改善を行うものである。
【０００３】
また、例えば、特許文献２の歩行安全補助具は、伸縮性の強い２本のゴム紐をその各先端部に設けた足指に嵌脱自在な留め具によって固定すると共に、足首部に設けた固定帯によって一体的に、膝部に設けた固定帯によって左右に開いて固定し、その上体部を腰部まで引き上げて腰部に繋止して装着するものである。
【先行技術文献】
【特許文献】
【０００４】
【特許文献１】実用新案登録第３０３８１５０号公報
【特許文献２】実用新案登録第３１１９８７１号公報
【発明の概要】
【発明が解決しようとする課題】
【０００５】
しかしながら、従来の歩行補助具は、いずれも足の足裏を持ち上げることができず、階段や坂道を容易にのぼることを支援することができない。
【０００６】
本発明は、このような事情に鑑みてなされたもので、足の足裏を持ち上げつつ歩行を容易にできるように支援することができる歩行補助具を提供することにある。
【課題を解決するための手段】
【０００７】
請求項１記載の歩行補助具は、腰部に巻き付けるベルト状の腰部固定具と、それぞれの端部が上前腸骨棘を挟んだ位置の腰部固定具に固定されると共に、足裏の爪先領域に架け渡される第１の伸縮性紐状部材と、それぞれの端部が坐骨結節を挟んだ位置の上方の腰部固定具に固定されると共に、足裏の踵領域に架け渡される第２の伸縮性紐状部材とを備えることを特徴とする。
【０００８】
請求項２記載の歩行補助具は、第１の伸縮性紐状部材と第２の伸縮性紐状部材とが、外側関節隙及び内側関節隙の位置で結束されたことを特徴とする。
【０００９】
請求項３記載の歩行補助具は、第１の伸縮性紐状部材が、膝蓋骨の上方の位置及び脛骨粗面の位置で結束されたことを特徴とする。
【００１０】
請求項４記載の歩行補助具は、第２の伸縮性紐状部材が、大腿下部の位置で結束されたことを特徴とする。
【００１１】
請求項５記載の歩行補助具は、第２の伸縮性紐状部材が、下腿上部の位置で結束されたことを特徴とする。
【００１２】
請求項６記載の歩行補助具は、足裏と、第１の伸縮性紐状部材及び第２の伸縮性紐状部材との間に、薄板状のソール部材を備えることを特徴とする。
【００１３】
請求項７記載の歩行補助具は、第１の伸縮性紐状部材及び第２の伸縮性紐状部材の抵抗力が、６００ｍｍの長さの第１の伸縮性紐状部材及び第２の伸縮性紐状部材を、２００ｍｍ伸延させた時の抵抗力で０．８ｋｇ〜２．８ｋｇであることを特徴とする。
【発明の効果】
【００１４】
本願発明の歩行補助具によれば、足の足裏を持ち上げつつ歩行を容易にできるように支援することができる。
【図面の簡単な説明】
【００１５】
【図１】本発明に係る歩行補助具を装着した状態の正面説明図である。
【図２】同歩行補助具を装着した状態の背面説明図である。
【図３】同歩行補助具を装着した状態の側面説明図である。
【発明を実施するための形態】
【００１６】
以下、本発明の形態について図面を参照しながら具体的に説明する。図１は、本発明に係る歩行補助具を装着した状態の正面説明図である。図２は、同歩行補助具を装着した状態の背面説明図である。図３は、同歩行補助具を装着した状態の側面説明図である。
【００１７】
本発明に歩行補助具１は、高齢者や障害により歩行が困難な人の歩行を助けるためのものである。歩行補助具１は、基本的構成として、腰部に巻き付けるベルト状の腰部固定具３０、第１の伸縮性紐状部材１０及び第２の伸縮性紐状部材２０とで構成されている。腰部固定具３０は、後述する第１の伸縮性紐状部材１０及び第２の伸縮性紐状部材２０を、腰Ｗの所定の位置で固定できれば、形状等により制限されるものではなく、市販のベルト等でもよい。尚、歩行補助具１は、左右いずれの足でも使用できるが、図及び下記の説明では、右足で説明する。
【００１８】
第１の伸縮性紐状部材１０及び第２の伸縮性紐状部材２０は、所定の伸縮性を有する紐状の部材で、例えばゴム紐ある。また、第１の伸縮性紐状部材１０及び第２の伸縮性紐状部材２０は、所定の伸縮性がある長尺のものであれば、帯状でのチューブ状でも形状により制限されるものではなく、また、材質も天然ゴムや革や伸縮性のある樹脂材であってもよい。また、第１の伸縮性紐状部材１０及び第２の伸縮性紐状部材２０の太さ（幅）は、後述するように結束することから、あまり太い（幅広な）ものは適さず、径（幅）が３ｍｍ〜２０ｍｍのものが使用しやすい。第１の伸縮性紐状部材１０及び第２の伸縮性紐状部材２０は、例えば、株式会社Ｄ＆Ｍ社の「セラチューブ」（登録商標）が、使用可能である。
【００１９】
歩行補助具１において、第１の伸縮性紐状部材１０の最低限の基本態様としては、それぞれの端部１０ａ，１０ｄが上前腸骨棘を挟んだ位置の腰部固定具３０に固定されると共に、足Ｌの足裏の爪先領域Ｔに架け渡される。具体的には、端部１０ａが、上前腸骨棘を挟んだ一方の位置の腰部固定具３０に固定され、そこから下方向に伸び、足裏の爪先領域Ｔの外側である外側爪先架掛部１０ｂで足裏の爪先領域Ｔに入り込み、足裏の爪先領域Ｔを外側から内側に抜ける。そして、足裏の爪先領域Ｔを外側から内側に抜けた第１の伸縮性紐状部材１０は、足裏の爪先領域Ｔの内側から内側爪先架掛部１０ｃで上方向に折り返すように伸びていき、上前腸骨棘を挟んだ一方の位置の腰部固定具３０に、端部１０ｄが固定される。
【００２０】
また、第２の伸縮性紐状部材２０の最低限の基本態様としては、それぞれの端部２０ａ，２０ｄが坐骨結節を挟んだ位置の上方の腰部固定具３０に固定されると共に、足Ｌの足裏の踵領域Ｈに架け渡される。具体的には、端部２０ａが、坐骨結節を挟んだ位置の上方の腰部固定具３０に固定され、そこから下方向に伸び、足裏の踵領域Ｈの外側である外側踵架掛部２０ｂで足裏の踵領域Ｔに入り込み、足裏の踵領域Ｔを外側から内側に抜ける。そして、足裏の踵領域Ｔを外側から内側に抜けた第２の伸縮性紐状部材２０は、足裏の踵領域Ｔの内側から内側踵架掛部２０ｃで上方向に折り返すように伸びていき、坐骨結節を挟んだ位置の上方の一方の位置の腰部固定具３０に、端部２０ｄが固定される。
【００２１】
尚、第１の伸縮性紐状部材１０及び第２の伸縮性紐状部材２０を足Ｌの足裏に直接架け渡すことも可能であるが、足裏と、第１の伸縮性紐状部材１０及び第２の伸縮性紐状部材２０との間に、薄板状のソール部材４０を設けることも可能である。ソール部材４０を用いることで、足裏全体を持ち上げる効果を持たせることができる。
【００２２】
上述の態様の歩行補助具１に対し、歩行をよりしやすくするために足Ｌの足裏が、持ち上がりやすくするために、第１の伸縮性紐状部材１０と第２の伸縮性紐状部材２０とを、外側関節隙の位置である外側関節隙結束部１０ｅ及び内側関節隙の位置である内側関節隙結束部１０ｆで結束するようにしてもよい。
【００２３】
さらに、歩行補助具１に対し、膝の悪い人の歩行をよりしやすくするために、第１の伸縮性紐状部材１０を、膝蓋骨の上方の位置である膝蓋骨上方結束部１０ｇ及び脛骨粗面の位置である脛骨粗面結束部１０ｈで結束するようにしてもよい。
【００２４】
さらに、歩行補助具１に対し、ハムストリング対策として、上下に伸びる２筋の第２の伸縮性紐状部材２０を束ねるように、大腿下部の位置である大腿下部結束部２０ｅで結束するようにしてもよい。尚、大腿下部結束部２０ｅの位置は、大腿の上下の下から約１／３の位置が好ましい。
【００２５】
さらに、歩行補助具１に対し、歩行補助具１の足Ｌへのフィット感を向上させるために、上下に伸びる２筋の第２の伸縮性紐状部材２０を束ねるように、下腿上部の位置である下腿上部結束部２０ｆで結束するようにしてもよい。尚、下腿上部結束部２０ｆの位置は、下腿の上下の上から約１／３の位置が好ましい。
【００２６】
以上のような構成の歩行補助具１によれば、足Ｌの足裏を持ち上げつつ歩行を容易にできるように支援することができる。
【００２７】
尚、第１の伸縮性紐状部材１０及び第２の伸縮性紐状部材２０の抵抗力（すなわち伸縮力）が、６００ｍｍの長さの第１の伸縮性紐状部材１０及び第２の伸縮性紐状部材２０を、２００ｍｍ伸延させた時の抵抗力で０．８ｋｇ〜２．８ｋｇとすることが、歩行を支援する点で望ましい。
【００２８】
第１の伸縮性紐状部材１０及び第２の伸縮性紐状部材２０は、使用する人の体重や症状に応じて、抵抗力の異なるものを適宜選択して使用することが望ましい。
【００２９】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００３０】
以上のように、本発明によれば、足の足裏を持ち上げつつ歩行を容易にできるように支援することができる歩行補助具を提供することができる。
【符号の説明】
【００３１】
１・・・・・歩行補助具
１０・・・・第１の伸縮性紐状部材
１０ａ・・・端部
１０ｂ・・・外側爪先架掛部
１０ｃ・・・内側爪先架掛部
１０ｄ・・・端部
１０ｅ・・・外側関節隙結束部
１０ｆ・・・内側関節隙結束部
１０ｇ・・・膝蓋骨上方結束部
１０ｈ・・・脛骨粗面結束部
２０・・・・第２の伸縮性紐状部材
２０ａ・・・端部
２０ｂ・・・外側踵架掛部
２０ｃ・・・内側踵架掛部
２０ｄ・・・端部
２０ｅ・・・大腿下部結束部
２０ｆ・・・下腿上部結束部
３０・・・・腰部固定具
４０・・・・ソール部材
【図１】
2019141312.tif 000003
【図２】
2019141312.tif 000004
【図３】
2019141312.tif 000005